(57)【要約】【課題】塗布した状態では無色透明であるが、容器内においては彩色性が認識できる程度の着色のりを、連結のり容器又は多区画容器内にそれそれ異なる色の着色のりを充填して、今までに無い趣向性を高めた多色のりを提供する。【解決手段】合成樹脂系のエマルジョン型接着剤であって、塗布したのりの彩色を視認できない程度に着色剤を添加した着色のりＰを、少なくとも一部に透明部を有しかつ塗付部１２を備えたのり容器１１に充填すると共に、互いに異なる色の着色のりＰを充填した複数ののり容器を互いに分離自在にして連結させる。また、かかる着色のりＰを、単一ののり容器２１内をそれぞれ塗付部１２に連通した２以上の区画２６に分け、各区画にそれぞれ異なる色を充填する。さらにこの多区分した多色のり３１の容器を、互いに分離自在にして連結さる構成としてもよい。【選択図】      図４
2005060569.tif 000002
【特許請求の範囲】
【請求項１】
合成樹脂系のエマルジョン型接着剤であって、塗布したのりの彩色を視認できない程度に着色剤を添加した着色のりを、少なくとも一部に透明部を有しかつ塗付部を備えたのり容器に充填すると共に、互いに異なる色の着色のりを充填した複数ののり容器を互いに分離自在にして連結させたことを特徴とする多色のり。
【請求項２】
合成樹脂系のエマルジョン型接着剤であって、塗布したのりの彩色を視認できない程度に着色剤を添加した着色のりを、少なくとも一部に透明部を有しかつ塗付部を備えたのり容器に充填すると共に、該のり容器内をそれぞれ塗付部に連通した２以上の区画に分け、各区画にそれぞれ異なる色の着色のりを充填したことを特徴とする多色のり。
【請求項３】
各区画から塗付部への連通路に逆流阻止手段を設けたことを特徴とする請求項２記載の多色のり。
【請求項４】
請求項２、または３記載の多色のりの容器を、互いに分離自在にして連結させたことを特徴とする多色のり。
【請求項５】
食用色素からなる着色剤を０．５〜４ｐｐｍの割合で添加して着色のりとしたことを特徴とする請求項１、２、３、又は４記載の多色のり。
【請求項６】
のり容器を円筒形、又は直円錐台形として、一端側に塗付部を及び他端側に台座部を形成し、塗付部を台座部に嵌合するようにして複数個ののり容器を連結させたことを特徴とする請求項１、４、又は５記載の多色のり。
【発明の詳細な説明】
【技術分野】
【０００１】
本願発明は、主に、紙片の接着に用いる液状または流動状の合成のりに関し、特に、種々異なる色に着色した複数ののり液を用いて多色に構成した多色のりに関する。
【背景技術】
【０００２】
紙片を接着するのりとしては、デンブンを用いた天然のりやアクリル系、塩化ビニル系などの合成樹脂のエマルジョンよりなる合成のり、がある。かかるのりの形態としては、液状、粘度の高い流動状、固形状のものがある。本願発明の対象とするものは、通常、文房具に分類される液状、または流動状をしたのり（「のり液」と称する。）を、円筒状や直円錐台形状をした透明または半透明な容器に充填し、その一端側に塗布部を有し、その塗布部から浸み出したのり液を塗り付けて紙面等の貼り合わせに使用するものである。
【０００３】
これらのり液は、通常、透明性を有するものであることが多いが、従来技術としては例えば、特許文献１、２、３、４などに開示されているように、染料や顔料からなる着色剤を添加して種々な着色を施したものがあった。
【０００４】
すなわち特許文献１は、合成樹脂のエマルジョンよりなる接着剤に染料もしくは顔料からなる着色剤を５〜３００ｐｐｍ添加して着色のりとしたものである。当該開示発明は、のり液に着色してのり液を塗布した紙面上の位置を明確に視認させることを目的としており、貼り合わせた場合の裏写りを防止するため一定範囲での濃度調節をしたことを特徴としている。
【０００５】
また、特許文献２は、揮発性アルカリ及び一定のアルカリ濃度（ｐｈ）以上で発色し、これより弱いアルカリ、中性、酸性側で無色になる色素をのり液に添加して着色のりとしたものである。これは、のり液に着色して塗布した紙面上の位置を明確に視認させると共に、一定の時間経過は化学変化を起こして塗布したのり液を無色化させたことを特徴としたものである。
【０００６】
さらに、特許文献３、４は、無色透明又は乳白色の液状の合成のりに、着色剤を添加して有色のりを製造するものであり、上記特許文献１，２と同様、着色してのり液の塗布域を明確に視認させることを目的としたものである。
【特許文献１】特開平８−１００１６４
【特許文献２】特開昭５０−４０６３６
【特許文献３】特開平２−１８２７７６
【特許文献４】特開平２−８２８２
【発明の開示】
【発明が解決しようとする課題】
【０００７】
上記各特許文献に開示された発明に共通する目的・特徴は、塗布したのり液に着色を施すことにより、その塗布位置を肉眼で容易に認識させることにある。したがって、塗布した直後ののり液は有色であることが必須であるため、裏写りしない程度の濃度を保つ必要があり、紙質によって区々である濃度調節の煩雑性や化学変化を待って無色化する時間を待つことなど作業効率に問題があった。
【０００８】
これに対して、本願発明の目的は、塗布したのり液は従来と同様に、無色透明性を確保しており、塗布したのり液はその塗布厚が薄いためその透過色は、少なくとも肉眼で認識できるほどの有色性は無いが、容器に入れられた状態ではのり液の透過厚さが厚いため透過色は彩色性が認識できる程度のものである。特に、対象とする合成のりが文房具用品であることから、従来無色透明、または乳白色であったのり液自体に、今までに無い構成で彩色を施すことより、その趣向性を高めることを目的としたものである。
【課題を解決するための手段】
【０００９】
上記目的を達成するため、本願発明に係る多色のりは、以下のように構成している。
【００１０】
すなわち、合成樹脂系のエマルジョン型接着剤であって、塗布したのりの彩色を視認できない程度に着色剤を添加した着色のりを、少なくとも一部に透明部を有しかつ塗付部を備えたのり容器に充填すると共に、互いに異なる色の着色のりを充填した複数ののり容器を互いに分離自在にして連結させたことを特徴とする。
【００１１】
また、合成樹脂系のエマルジョン型接着剤であって、塗布したのりの彩色を視認できない程度に着色剤を添加した着色のりを、少なくとも一部に透明部を有しかつ塗付部を備えたのり容器に充填すると共に、該のり容器内をそれぞれ塗付部に連通した２以上の区画に分け、各区画にそれぞれ異なる色の着色のりを充填したことを特徴とする。
【００１２】
また上記の各区画から塗付部への連通路には、逆流阻止手段を設けても良い。
【００１３】
さらに、上記の多色のりの容器を、互いに分離自在にして連結させたことを特徴とする多色のり。この分離自在な連結としては、例えば、のり容器を円筒形、又は直円錐台形として、一端側に塗付部を及び他端側に台座部を形成し、塗付部を台座部に嵌合するようにして複数個ののり容器を連結させるようにしてもよい。
【００１４】
上記の各のり容器、または区画に充填する着色のりは、食用色素からなる着色剤を０．５〜４ｐｐｍの割合で添加して着色のりとしたことを特徴とする。
【発明の効果】
【００１５】
本願発明の構成によれば、一連ののり容器に、または単一ののり容器内を種々の彩色を施して多層または組み合わせた状態にしているため、いままでにない嗜好性を高めることができ、かつ塗布時にはほとんど着色を認識できない程度であるため、その塗布位置の認識性においては若干低下するが、このことは先行開示発明が言うほど大きな課題となっておらず、むしろ、無視できない裏写りや塗布した紙片への色写りなどを回避することができる。
【００１６】
また、容器を連結したり、容器内を幾つかに区分けして、それぞれの連結容器毎に、または区画空間毎に異なる色に着色したのり液を充填することにより、より趣向性を高めることができる。
【発明を実施するための最良の形態】
【００１７】
本願発明を実施するための最良の形態としては、各実施例（以下、「本実施例」と略称する。）を挙げる。以下に、これらについて図面に基づき詳細に説明する。
【実施例１】
【００１８】
図１は、本実施例１を一部切り欠いて示す斜視図である。
【００１９】
のり容器１１の基本的形態の従来ののり容器と同様であり、内部がのりの状態を透過して視認できる程度の透明性をもった可撓性材質で円筒形状、又は直円錐台形状に形成している。この容器の透明性は全体が透明材で形成しても良く、またはその一部に透明部を設けるようにしても良い。そして、一端側（図面では頭頂部）には、塗付部１２を形成しており、他端側（図面では下底部）には安定直立させるための台座部１３を形成している。塗付部１２は、単に、指で押して絞り出すだけの開口をも含む概念であるが、本実施例では既存品と同様に紙面へ直接塗り付けるための浸潤性のあるスポンジ等の弾力材を設けてなる塗付面１２ｓを配設している。また、塗付面１２ｓの下部の側周面にはフランジ状の係合爪１２ｎを形成している。
【００２０】
台座部１３には、底面には前記塗付部１２が嵌入して適合し得る形状の窪みからなる嵌合凹部１３ｃを形成しており、その内周面には上記塗付部１２の係合爪１２ｎと係合する環状凹状の係合受け部１３ｎを形成している。
【００２１】
これにより１つののり容器１１の塗付部１２は、他ののり容器１１の台座部１３の嵌合凹部１３ｃに嵌合して固定することにより、複数個を直列状（または棒状）に連結する。この嵌合を係合爪１２ｎと係合受け部１３ｎとの係合によっているため、連結・分離が自在となる。
【００２２】
なお、この塗付部１２と台座部１３との連結は、係合爪１２ｎと係合受け部１３ｎとのクリック連結によっているが、このほか、螺合するようにしてもよい。
【００２３】
最端部ののり容器１１の塗付部１２には、塗付面１２ｓの乾燥を防ぐため有底筒状のキャップ１４を被嵌（被せて嵌合させること。）または螺合（螺旋溝による締結。）させている。
【００２４】
上記のように構成したのり容器１１内には、種々に彩色した着色のりＰを充填している。かかる着色のりＰは、薄く塗布した状態でのりの彩色を視認できない程度に濃度を調節して着色剤を添加している。すなわち、のり容器に入っている状態では一定の彩色が認識でき、紙面に塗った状態では薄くのりが塗布されるため肉眼では、ほとんど彩色を認識できない程度である。かかる着色のりの構成は、紙片等の貼り合わせに用いるのりで、合成樹脂系のエマルジョンよりなる液状又は流動状の接着剤（以下、「のり液」と称する。）であり、通常、合成のりと言われるものである。こののり液に、０．５〜４ｐｐｍの割合で着色剤を添加して着色のりを製造する。着色剤としては、顔料または染料であるが、安全性を考慮した食用色素、例えば、赤色１０２号、黄色５号、黄色４号、緑色、などから適宜選択して添加する。添加割合を、上記のように限定したのは、４ｐｐｍを越える割合で添加するとのり液を多少厚塗りした場合に着色が認識でき、これ以下であると彩色を認識できることは難しいからである。また、０．５ｐｐｍ未満では容器に充填した状態でも彩色が十分に認識できないからである。いわゆる色が付いているか否かの認識が不明確となる割合である。
【００２５】
別言すると、塗布したのり液は従来と同様に、無色透明性を確保しており、塗布したのり液はその塗布厚が薄いためその透過色は、少なくとも肉眼で認識できるほどの有色性は無いが、容器に入れられた状態ではのり液の透過厚さが厚いため透過色は彩色性が認識できる程度のものとなる。
【００２６】
かかる構成の着色のりＰに種々の着色剤を添加して種々彩色の着色のりを製造して、各色毎に上記のり容器１１に充填して、連結することにより、種々色からなる棒状ののりを構成することでき、使用者の趣向により、使用したい色の着色のりＰを選択し、その部分の連結を解除して使用することができる。また、連結順序を自由に入れ替えることにより、種々の色彩層の棒状のりを構成することができ、趣向性を高めることができ、その結果、商品価値を高めることができる。
【実施例２】
【００２７】
本実施例２は、本実施例１の多色性を単一ののり容器２１で実現したのものである。図２は本実施例２を一部切り欠いて示す斜視図であり、図３は本実施例２の縦断面図である。なお、本実施例２の構成・機能において、上記実施例１と同様である場合は、同一番号を付してその詳細な説明は省略する。
【００２８】
本実施例２ののり容器２１と上記本実施例１との特徴的な相違は、容器内を底面から塗付面までの隔壁２５を設けて、それぞれ塗付部１２に連通した複数区画（例えば、実施例では４区画）に分けたことにある。また、台座部２３には、塗付部１２が嵌合するための嵌合凹部１３ｃを形成していな点である。
【００２９】
隔壁２５は、のり容器２１の内部を（図面上）縦方向に伸び、横断面において４つの区画２６、２６，・・に分けている。各区画２６には、それぞれ異なる彩色の着色のりＰを充填している。各区画２６は塗付部１２の塗付面１２ｃの直下で一つの僅かな空間２７で連通している。塗付するためのり容器２１を逆さにした場合は、この僅かな空間２７で各色の着色のりＰが混合することになるが、使用後の逆戻りによる色混ざりなどの影響は少ない。ただし、本実施例２では、この逆戻りによる色混ざりをより完全に防止するため、各区画２６から塗付部１２への連通路に逆流阻止手段として逆止弁２８を設けている。なお、逆止弁２８は、フラップ状であるが、逆流をある程度阻止できる構造であるならばこれに限定しない。例えば、絞り口が塗付面１２ｓに向かう漏斗状にしても良い。
【００３０】
上記のように構成することにより、各区間２６に充填された着色のりＰが異なる彩色を呈し、本実施例２ではのり容器２１の周りに４種の彩色が施され趣向的効果を奏することになる。また、逆止弁２８があるため、僅かな空間で混ざってもその混ざったのり液が下方の区画２６へ流れ降りてくることがないため、当初の彩色を維持することができる。
【実施例３】
【００３１】
本実施例３ののり容器３１は、本実施例２の単一容器内多色性構造をもった多色のりに上記本実施例１の連結機能を付加したものである。図４は、本実施例３を一部切り欠いて示す斜視図である。なお、本実施例３の構成・機能において、上記実施例１、及び実施例２と同様である場合は、同一番号を付してその詳細な説明は省略する。
【００３２】
すなわち、本実施例３ののり容器３１は、その一つの構成は本実施例２ののり容器２１と同様の構成を取るほか、台座部を本実施例１の台座部１３と同様の構成にしている。
【００３３】
この構成により、上記本実施例１と２の多色効果を合わせ持つことができ、より趣向性に富んだ着色のりとすることができる。
【図面の簡単な説明】
【００３４】
【図１】本実施例１を一部切り欠いて示す斜視図である。
【図２】本実施例２の多色性を単一ののり容器２１で実現したのものである。
【図３】本実施例２の縦断面図である。
【図４】本実施例３を一部切り欠いて示す斜視図である。
【符号の説明】
【００３５】
Ｐ  着色のり
１１  のり容器（実施例１）
１２  塗付部
１２ｓ  塗布面
１２ｎ  係合爪
１３  台座部
１３ｃ  嵌合凹部
１３ｎ  係合受け部
１４  キャップ
２１  のり容器（実施例２）
２３  台座部
２５  隔壁
２６  区画
２７  僅かな空間
２８  逆止弁
３１  のり容器（実施例３）
【図１】
2005060569.tif 000003
【図２】
2005060569.tif 000004
【図３】
2005060569.tif 000005
【図４】
2005060569.tif 000006